(57)【特許請求の範囲】
【請求項１】
ウェアラブルデバイスの通信方法であって、
ウェアラブルデバイスの運動状態パラメーターを取得するステップと、
前記運動状態パラメーターに基づき、前記ウェアラブルデバイスが取り外し状態にあるか否かを判断するステップと、
前記ウェアラブルデバイスが取り外し状態にあった場合、端末へ警報信号を発するよう前記端末に指示する取り外し情報を送信するステップと、
を含み、
前記運動状態パラメーターは、速度と加速度を含み、
前記運動状態パラメーターに基づき、前記ウェアラブルデバイスが取り外し状態にあるか否かを判断するステップは、
前記運動状態パラメーターが取り外し状態パラメーターであるか否かを検出するステップを含み、
前記取り外し状態パラメーターは、第１時間帯において、前記加速度が重力加速度であり、前記速度が０ではなく、第２時間帯において、前記加速度と前記速度がいずれも０であり、前記第１時間帯と前記第２時間帯が連続した任意の二つの時間帯であることを特徴とする方法。
【請求項２】
速度と加速度を含む前記運動状態パラメーターに基づき、前記ウェアラブルデバイスが取り外し状態にあるか否かを判断するステップは、
前記運動状態パラメーターが前記取り外し状態パラメーターである場合、前記ウェアラブルデバイスが取り外し状態にあることを確定するステップと、
前記運動状態パラメーターが前記取り外し状態パラメーターではない場合、前記ウェアラブルデバイスが取り外し状態にないことを確定するステップと、
をさらに含む、ことを特徴とする請求項１に記載の方法。
【請求項３】
前記ウェアラブルデバイスが取り外し状態にあった場合、端末へ取り外し情報を送信するステップは、
前記ウェアラブルデバイスが取り外し状態にあった場合、現在時刻における前記ウェアラブルデバイスとウェアラブル対象の皮膚と接触する位置の温度を取得するステップと、
現在時刻における前記ウェアラブルデバイスとウェアラブル対象の皮膚と接触する位置の温度が前回の時刻に前記ウェアラブルデバイスとウェアラブル対象の皮膚と接触する位置の温度より低いか否かを判断するステップと、
現在時刻における前記ウェアラブルデバイスとウェアラブル対象の皮膚と接触する位置の温度が前回の時刻に前記ウェアラブルデバイスとウェアラブル対象の皮膚と接触する位置の温度より低い場合、端末へ取り外し情報を送信するステップと、
を含み、
前記現在時刻と前記前回の時刻の差がｔ秒であり、前記ｔが０より大きいことを特徴とする請求項１に記載の方法。
【請求項４】
前記ウェアラブルデバイスが取り外し状態にあるか否かを判断するステップは、
前記ウェアラブルデバイスとウェアラブル対象の皮膚と接触する位置の温度が前記ウェアラブルデバイスの他の位置の温度より高いか否かを検出するステップと、
前記ウェアラブルデバイスとウェアラブル対象の皮膚と接触する位置の温度が前記ウェアラブルデバイスの他の位置の温度より高くない場合、前記ウェアラブルデバイスが取り外し状態にあるか否かを判断するステップと、
を含むことを特徴とする請求項１に記載の方法。
【請求項５】
前記ウェアラブルデバイスの位置および前記ウェアラブルデバイスの取り外し時間のうちの少なくとも一つを含む取り外し情報を端末へ送信するステップは、
前記ウェアラブルデバイスの位置を確定するステップと、
及び／又は、前記ウェアラブルデバイスの速度と加速度が同時に０になる時刻を前記ウェアラブルデバイスの取り外し時刻とするステップと、
を含むことを特徴とする請求項１に記載の方法。
【請求項６】
警報信号を発するステップをさらに含むことを特徴とする請求項１〜５のいずれかに記載の方法。
【請求項７】
前記警報信号は、音声信号および振動信号と光信号のうちの少なくとも一つを含むステップを特徴とする請求項６に記載の方法。
【請求項８】
ウェアラブルデバイスの通信方法であって、
取得されたウェアラブルデバイスの運動状態パラメーターに基づいて前記ウェアラブルデバイスが取り外し状態にあることが判断された時、ウェアラブルデバイスにより送信された取り外し情報を受信するステップと、
前記取り外し情報に基づき、警報信号を発するステップと、
を含み、
前記運動状態パラメーターは、速度と加速度を含み、
前記取得されたウェアラブルデバイスの運動状態パラメーターに基づいて前記ウェアラブルデバイスが取り外し状態にあることを判断することは、
前記運動状態パラメーターが取り外し状態パラメーターであるか否かを検出することを含み、
前記取り外し状態パラメーターは、第１時間帯において、前記加速度が重力加速度であり、前記速度が０ではなく、第２時間帯において、前記加速度と前記速度がいずれも０であり、前記第１時間帯と前記第２時間帯が連続した任意の二つの時間帯であることを特徴とする方法。
【請求項９】
前記ウェアラブルデバイスの位置および前記ウェアラブルデバイスの取り外し時刻のうちの少なくとも一つを含む前記取り外し情報を表示するステップをさらに含むことを特徴とする請求項８に記載の方法。
【請求項１０】
端末の位置を確定するステップと、
前記端末の位置を表示するステップと、
をさらに含むことを特徴とする請求項９に記載の方法。
【請求項１１】
ウェアラブルデバイスの通信装置であって、
ウェアラブルデバイスの運動状態パラメーターを取得するように構成された取得モジュールと、
前記運動状態パラメーターに基づき、前記ウェアラブルデバイスが取り外し状態にあるか否かを判断するように構成された判断モジュールと、
前記ウェアラブルデバイスが取り外し状態にあった場合、端末へ警報信号を発するよう前記端末に指示する取り外し情報を送信するように構成された送信モジュールと、
を含み、
前記運動状態パラメーターは、速度と加速度を含み、
前記判断モジュールは、
前記運動状態パラメーターが取り外し状態パラメーターであるか否かを検出するように構成され、
前記取り外し状態パラメーターは、第１時間帯において、前記加速度が重力加速度であり、前記速度が０ではなく、第２時間帯において、前記加速度と前記速度がいずれも０であり、前記第１時間帯と前記第２時間帯が連続した任意の二つの時間帯であることを特徴とする通信装置。
【請求項１２】
前記判断モジュールはさらに、
前記運動状態パラメーターが前記取り外し状態パラメーターである場合、前記ウェアラブルデバイスが取り外し状態にあることを確定し、
前記運動状態パラメーターが前記取り外し状態パラメーターではない場合、前記ウェアラブルデバイスが取り外し状態にないことを確定するように構成されることを特徴とする請求項１１に記載の通信装置。
【請求項１３】
前記送信モジュールは、
前記ウェアラブルデバイスが取り外し状態にあった場合、現在時刻における前記ウェアラブルデバイスとウェアラブル対象の皮膚と接触する位置の温度を取得し、
現在時刻における前記ウェアラブルデバイスとウェアラブル対象の皮膚と接触する位置の温度が前回の時刻に前記ウェアラブルデバイスとウェアラブル対象の皮膚と接触する位置の温度より低いか否かを判断し、
現在時刻における前記ウェアラブルデバイスとウェアラブル対象の皮膚と接触する位置の温度が前回の時刻に前記ウェアラブルデバイスとウェアラブル対象の皮膚と接触する位置の温度より低い場合、端末へ取り外し情報を送信するように構成され、
前記現在時刻と前記前回の時刻の差がｔ秒であり、前記ｔが０より大きいことを特徴とする請求項１１に記載の通信装置。
【請求項１４】
前記判断モジュールは、
前記ウェアラブルデバイスとウェアラブル対象の皮膚と接触する位置の温度が前記ウェアラブルデバイスの他の位置の温度より高いか否かを検出し、
前記ウェアラブルデバイスとウェアラブル対象の皮膚と接触する位置の温度が前記ウェアラブルデバイスの他の位置の温度より高くない場合、前記ウェアラブルデバイスが取り外し状態にあるか否かを判断するように構成されることを特徴とする請求項１１に記載の通信装置。
【請求項１５】
前記取り外し情報は、前記ウェアラブルデバイスの位置および前記ウェアラブルデバイスの取り外し時間のうちの少なくとも一つを含み、
前記送信モジュールは、
前記ウェアラブルデバイスの位置を確定し、
及び／又は、前記ウェアラブルデバイスの速度と加速度が同時に０になる時刻を前記ウェアラブルデバイスの取り外し時刻とするように構成されることを特徴とする請求項１１に記載の通信装置。
【請求項１６】
警報信号を発するように構成された警報モジュールをさらに含むことを特徴とする請求項１１〜１５のいずれかに記載の装置。
【請求項１７】
前記警報信号は、音声信号および振動信号と光信号のうちの少なくとも一つを含むことを特徴とする請求項１６に記載の通信装置。
【請求項１８】
ウェアラブルデバイスの通信装置であって、
取得された前記ウェアラブルデバイスの運動状態パラメーターに基づいて前記ウェアラブルデバイスが取り外し状態にあることが判断された時、ウェアラブルデバイスにより送信された取り外し情報を受信するように構成された受信モジュールと、
前記取り外し情報に基づき、警報信号を発するように構成された警報モジュールと、
を含み、
前記運動状態パラメーターは、速度と加速度を含み、
前記取得された前記ウェアラブルデバイスの運動状態パラメーターに基づいて前記ウェアラブルデバイスが取り外し状態にあることを判断することは、
前記運動状態パラメーターが取り外し状態パラメーターであるか否かを検出することを含み、
前記取り外し状態パラメーターは、第１時間帯において、前記加速度が重力加速度であり、前記速度が０ではなく、第２時間帯において、前記加速度と前記速度がいずれも０であり、前記第１時間帯と前記第２時間帯が連続した任意の二つの時間帯であることを特徴とする通信装置。
【請求項１９】
前記ウェアラブルデバイスの位置および前記ウェアラブルデバイスの取り外し時間のうちの少なくとも一つを含む前記取り外し情報を表示するように構成された第１表示モジュールをさらに含むことを特徴とする請求項１８に記載の通信装置。
【請求項２０】
端末の位置を確定するように構成された確定モジュールと、
前記端末の位置を表示するように構成された第２表示モジュールと、
をさらに含むことを特徴とする請求項１９に記載の通信装置。
【請求項２１】
ウェアラブルデバイスの通信装置であって、
プロセッサと、
前記プロセッサにより実行可能なコマンドを記憶するメモリと、
を備え、
ウェアラブルデバイスの運動状態パラメーターを取得し、
前記運動状態パラメーターに基づき、前記ウェアラブルデバイスが取り外し状態にあるか否かを判断し、
前記ウェアラブルデバイスが取り外し状態にあった場合、端末へ警報信号を発するよう前記端末に指示する取り外し情報を送信するように構成され、
前記運動状態パラメーターは、速度と加速度を含み、
前記運動状態パラメーターに基づき、前記ウェアラブルデバイスが取り外し状態にあるか否かを判断することは、
前記運動状態パラメーターが取り外し状態パラメーターであるか否かを検出することを含み、
前記取り外し状態パラメーターは、第１時間帯において、前記加速度が重力加速度であり、前記速度が０ではなく、第２時間帯において、前記加速度と前記速度がいずれも０であり、前記第１時間帯と前記第２時間帯が連続した任意の二つの時間帯であることを特徴とする通信装置。
【請求項２２】
ウェアラブルデバイスの通信装置であって、
プロセッサと、
前記プロセッサにより実行可能なコマンドを記憶するメモリと、
を備え、
取得された前記ウェアラブルデバイスの運動状態パラメーターに基づいて前記ウェアラブルデバイスが取り外し状態にあることが判断された時、ウェアラブルデバイスにより送信された取り外し情報を受信し、
前記取り外し情報に基づき、警報信号を発するように構成され、
前記運動状態パラメーターは、速度と加速度を含み、
前記取得された前記ウェアラブルデバイスの運動状態パラメーターに基づいて前記ウェアラブルデバイスが取り外し状態にあることを判断することは、
前記運動状態パラメーターが取り外し状態パラメーターであるか否かを検出することを含み、
前記取り外し状態パラメーターは、第１時間帯において、前記加速度が重力加速度であり、前記速度が０ではなく、第２時間帯において、前記加速度と前記速度がいずれも０であり、前記第１時間帯と前記第２時間帯が連続した任意の二つの時間帯であることを特徴とする通信装置。
【請求項２３】
ウェアラブルデバイスの通信システムであって、
請求項１１〜１７のいずれかに記載のウェアラブルデバイスの通信装置を含むウェアラブルデバイスと、
請求項１８〜２０のいずれかに記載のウェアラブルデバイスの通信装置を含む端末と、
を含むことを特徴とする通信システム。
【発明の詳細な説明】
【技術分野】
【０００１】
本発明は電子技術の応用領域に関し、特にはウェアラブルデバイスの通信方法、装置及びシステムに関する。
【０００２】
本願は、出願番号がＣＮ２０１５１０７１９７２０．８であり、出願日が２０１５年１０月２９日である中国特許出願に基づいて提出され、該中国特許出願の優先権を主張し、該中国特許出願の全ての内容はここで参考として本願に援用される。
【背景技術】
【０００３】
科学技術水準の継続的改善に伴って、ユーザーの健康状況、運動習慣を感知するための様々なウェアラブルデバイス、例えば、スマートリストバンドとスマートウォッチなどが次々と現れている。
【０００４】
かかる技術において、ウェアラブルデバイスと特定端末をバインドすれば、取得されたユーザーの健康に関する各種データ（例えば、心拍数、睡眠時間と体温など）と運動に関する各種データ（例えば、運動歩数、消費カロリーなど）を該特定端末に送信し、端末において受信された健康に関する各種データと運動に関する各種データを記憶し表示することができる。
【発明の概要】
【発明が解決しようとする課題】
【０００５】
かかる技術における問題を解決するために、本発明はウェアラブルデバイスの通信方法、装置及びシステムを提供する。
【課題を解決するための手段】
【０００６】
本発明の実施例の第１態様によれば、
ウェアラブルデバイスの運動状態パラメーターを取得するステップと、
該運動状態パラメーターに基づき、該ウェアラブルデバイスが取り外し状態にあるか否かを判断するステップと、
該ウェアラブルデバイスが取り外し状態にあった場合、端末へ警報信号を発するよう該端末に指示する取り外し情報を送信するステップと、
を含むウェアラブルデバイスの通信方法を提供している。
【０００７】
好ましくは、速度と加速度を含む該運動状態パラメーターに基づき、該ウェアラブルデバイスが取り外し状態にあるか否かを判断することは、
該運動状態パラメーターが取り外し状態パラメーターであるか否かを検出するステップと、
該運動状態パラメーターが該取り外し状態パラメーターである場合、該ウェアラブルデバイスが取り外し状態にあることを確定するステップと、
該運動状態パラメーターが該取り外し状態パラメーターではない場合、該ウェアラブルデバイスが取り外し状態にあっていないことを確定するステップと、を含み、
該取り外し状態パラメーターは、第１時間帯において、該加速度が重力加速度であり、該速度が０ではなく、第２時間帯において、該加速度と該速度がいずれも０であり、該第１時間帯と該第２時間帯が連続した任意の二つの時間帯である。
【０００８】
好ましくは、該ウェアラブルデバイスが取り外し状態にあった場合、端末へ取り外し情報を送信することは、
該ウェアラブルデバイスが取り外し状態にあった場合、現在時刻における該ウェアラブルデバイスとウェアラブル対象の皮膚と接触する位置の温度を取得するステップと、
該現在時刻における該ウェアラブルデバイスとウェアラブル対象の皮膚と接触する位置の温度が前回の時刻に該ウェアラブルデバイスとウェアラブル対象の皮膚と接触する位置の温度より低いか否かを判断するステップと、
該現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、端末へ取り外し情報を送信するステップとを含み、
該現在時刻と該前回の時刻との差がｔ秒であり、該ｔが０より大きい。
【０００９】
好ましくは、該ウェアラブルデバイスが取り外し状態にあるか否かを判断するステップは、
該ウェアラブルデバイスとウェアラブル対象の皮膚と接触する位置の温度が該ウェアラブルデバイスの他の位置の温度より高いか否かを検出するステップと、
該ウェアラブルデバイスとウェアラブル対象の皮膚と接触する位置の温度が該ウェアラブルデバイスの他の位置の温度より高くない場合、該ウェアラブルデバイスが取り外し状態にあるか否かを判断するステップと、を含む。
【００１０】
好ましくは、該ウェアラブルデバイスの位置および該ウェアラブルデバイスの取り外し時間のうちの少なくとも一つを含む取り外し情報を端末へ送信するステップは、
該ウェアラブルデバイスの位置を確定するステップと、
及び／又は、該ウェアラブルデバイスの速度と加速度が同時に０になる時刻を該ウェアラブルデバイスの取り外し時刻とするステップと、を含む。
【００１１】
好ましくは、該方法は、警報信号を発するステップと、をさらに含む。
【００１２】
好ましくは、該警報信号は音声信号および振動信号と光信号のうちの少なくとも一つを含む。
【００１３】
本発明の実施例の第２態様によれば、
取得された該ウェアラブルデバイスの運動状態パラメーターに基づいて該ウェアラブルデバイスが取り外し状態にあることが判断された時、該ウェアラブルデバイスにより送信された取り外し情報を受信するステップと、
該取り外し情報に基づき、警報信号を発するステップと、
を含むウェアラブルデバイスの通信方法を提供している。
【００１４】
好ましくは、該方法は、
該ウェアラブルデバイスの位置および該ウェアラブルデバイスの取り外し時刻のうちの少なくとも一つを含む該取り外し情報を表示するステップと、をさらに含む。
【００１５】
好ましくは、該方法は、
該端末の位置を確定するステップと、
該端末の位置を表示するステップと、をさらに含む。
【００１６】
本発明の実施例の第３態様によれば、
ウェアラブルデバイスの運動状態パラメーターを取得するように構成された取得モジュールと、
該運動状態パラメーターに基づき、該ウェアラブルデバイスが取り外し状態にあるか否かを判断するように構成された判断モジュールと、
該ウェアラブルデバイスが取り外し状態にあった場合、端末へ警報信号を発するよう該端末に指示する取り外し情報を送信するように構成された送信モジュールと、
を含むウェアラブルデバイスの通信装置を提供している。
【００１７】
好ましくは、該判断モジュールは、
速度と加速度を含む該運動状態パラメーターが取り外し状態パラメーターであるか否かを検出し、
該運動状態パラメーターが該取り外し状態パラメーターである場合、該ウェアラブルデバイスが取り外し状態にあることを確定し、
該運動状態パラメーターが該取り外し状態パラメーターではない場合、該ウェアラブルデバイスが取り外し状態ではないことを確定するように構成され、
該取り外し状態パラメーターは、第１時間帯において、該加速度が重力加速度であり、該速度が０ではなく、第２時間帯において、該加速度と前記速度がいずれも０であり、該第１時間帯と該第２時間帯が連続した任意の二つの時間帯である。
【００１８】
好ましくは、該送信モジュールは、
該ウェアラブルデバイスが取り外し状態にあった場合、現在時刻における該ウェアラブルデバイスとウェアラブル対象の皮膚と接触する位置の温度を取得し、
該現在時刻における該ウェアラブルデバイスとウェアラブル対象の皮膚と接触する位置の温度が前回の時刻に該ウェアラブルデバイスとウェアラブル対象の皮膚と接触する位置の温度より低いか否かを判断し、
該現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、端末へ取り外し情報を送信するように構成され、
該現在時刻と該前回の時刻の差がｔ秒であり、前記ｔが０より大きい。
【００１９】
好ましくは、該判断モジュールは、
該ウェアラブルデバイスとウェアラブル対象の皮膚と接触する位置の温度が該ウェアラブルデバイスの他の位置の温度より高いか否かを検出し、
該ウェアラブルデバイスとウェアラブル対象の皮膚と接触する位置の温度が該ウェアラブルデバイスの他の位置の温度より高くない場合、該ウェアラブルデバイスが取り外し状態にあるか否かを判断するように構成される。
【００２０】
好ましくは、該取り外し情報は、該ウェアラブルデバイスの位置および該ウェアラブルデバイスの取り外し時刻のうちの少なくとも一つを含み、
該送信モジュールは、
該ウェアラブルデバイスの位置を確定し、
及び／又は、該ウェアラブルデバイスの速度と加速度が同時に０になる時刻を該ウェアラブルデバイスの取り外し時刻とするように構成される。
【００２１】
好ましくは、該装置は、警報信号を発するように構成された警報モジュールをさらに含む。
【００２２】
好ましくは、該警報信号は音声信号および振動信号と光信号のうちの少なくとも一つを含む。
【００２３】
本発明の実施例の第４態様によれば、
取得された該ウェアラブルデバイスの運動状態パラメーターに基づいて該ウェアラブルデバイスが取り外し状態にあることが判断された時、該ウェアラブルデバイスにより送信された取り外し情報を受信するように構成された受信モジュールと、
該取り外し情報に基づき、警報信号を発するように構成された警報モジュールと、
を含むウェアラブルデバイスの通信装置を提供している。
【００２４】
好ましくは、該装置は、
該ウェアラブルデバイスの位置および該ウェアラブルデバイスの取り外し時刻のうちの少なくとも一つを含む該取り外し情報を表示するように構成された第１表示モジュールをさらに含む。
【００２５】
好ましくは、該装置は、
該端末の位置を確定するように構成された確定モジュールと、
該端末の位置を表示するように構成された第２表示モジュールと、をさらに含む。
【００２６】
本発明の実施例の第５態様によれば、
プロセッサと、
該プロセッサにより実行可能なコマンドを記憶するメモリと、
を備え、
ウェアラブルデバイスの運動状態パラメーターを取得し、
該運動状態パラメーターに基づき、該ウェアラブルデバイスが取り外し状態にあるか否かを判断し、
該ウェアラブルデバイスが取り外し状態にあった場合、端末へ警報信号を発するよう該端末に指示する取り外し情報を送信するように構成された、ウェアラブルデバイスの通信装置を提供している。
【００２７】
本発明の実施例の第６態様によれば、
プロセッサと、
該プロセッサにより実行可能なコマンドを記憶するメモリと、
を備え、
取得されたウェアラブルデバイスの運動状態パラメーターに基づいて該ウェアラブルデバイスが取り外し状態にあることが判断された時、該ウェアラブルデバイスにより送信された取り外し情報を受信し、
該取り外し情報に基づき、警報信号を発するように構成された、ウェアラブルデバイスの通信装置を提供している。
【００２８】
本発明の実施例の第７態様によれば、
第３態様に記載のウェアラブルデバイスの通信装置のいずれかを含むウェアラブルデバイスと、
第４態様に記載のウェアラブルデバイスの通信装置のいずれかを含む端末と、
を含むウェアラブルデバイスの通信システムを提供している。
【発明の効果】
【００２９】
本発明の実施例により提供される技術的解決手段は、下記好適な効果を含むことができる。
【００３０】
本発明の実施例により提供されるウェアラブルデバイスの通信方法、装置及びシステムは、ウェアラブルデバイスが取得された運動状態パラメーターに基づき、該ウェアラブルデバイスが取り外し状態にあることが判断された後、端末へ警報信号を発するよう該端末に指示する取り外し情報を送信することができ、そのため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。
【００３１】
理解すべきことは、以上の一般的な説明と後述の詳細な説明は例示的なものに過ぎず、本発明を限定するものではない。
【図面の簡単な説明】
【００３２】
本発明の実施例を詳しく説明するために、以下に実施例に記述した使用する必要な図面を簡単に紹介し、明らかに、以下の記述は本発明の一部の実施例だけであり、当業者とって、進歩的労働を具備しないことを前提とし、これらの図面によって他の図面をさらに取得することができる。
【００３３】
【図１】一例示的な実施例により示されたウェアラブルデバイスの通信方法に係る実施環境の示す図である。
【図２】一例示的な実施例により示されたウェアラブルデバイスの通信方法のフローチャートである。
【図３】一例示的な実施例により示された別のウェアラブルデバイスの通信方法のフローチャートである。
【図４−１】一例示的な実施例により示された他のウェアラブルデバイスの通信方法のフローチャートである。
【図４−２】一例示的な実施例により示された該ウェアラブルデバイスが取り外し状態にあるか否かを判断する方法のフローチャートである。
【図４−３】一例示的な実施例により示された端末に取り外し情報を表示する示す図である。
【図４−４】一例示的な実施例により示された端末に該端末の位置を表示する示す図である。
【図５−１】一例示的な実施例により示されたウェアラブルデバイスの通信装置のブロック図である。
【図５−２】一例示的な実施例により示された別のウェアラブルデバイスの通信装置のブロック図である。
【図６−１】一例示的な実施例により示された他のウェアラブルデバイスの通信装置のブロック図である。
【図６−２】一例示的な実施例により示されたもう一つのウェアラブルデバイスの通信装置のブロック図である。
【図７】一例示的な実施例により示されたもう一つのウェアラブルデバイスの通信装置のブロック図である。
【図８】一例示的な実施例により示されたもう一つのウェアラブルデバイスの通信装置のブロック図である。
【００３４】
ここの図面は明細書に併合され本明細書の一部を構成し、本発明に適合する実施例を示し、明細書と共に本発明の原理を解釈するためである。
【発明を実施するための形態】
【００３５】
本発明の目的、技術案及び利点がより明瞭であるように、以下、図面に合わせ、本発明についてさらに詳しく説明し、明らかに、記述した実施例は本発明の一部の実施例だけであり、全ての実施例ではない。本発明における実施例に基づいて、当業者が革新的労働を具備しないことを前提として得られた全ての他の実施例は、本発明の保護範囲に属する。
【００３６】
図１は、一例示的な実施例により示されたウェアラブルデバイスの通信方法に係る実施環境を示す図である。該実施環境は、ウェアラブルデバイス００と端末０１を含む。該ウェアラブルデバイス００はスマートリストバンド、スマートウォッチとスマートグラスなどであってもよく、該端末０１はスマートフォン、コンピュータ、メディアプレーヤー、電子ブックリーダーなどであってもよい。無線ネットワークに基づいてウェアラブルデバイス００と端末０１との間の接続を確立することができる。
【００３７】
図２は、一例示的な実施例により示されたウェアラブルデバイスの通信方法のフローチャートであり、該方法は図１により示されたウェアラブルデバイス００に応用することができ、図２に示すように、該方法は下記ステップを含む。
【００３８】
ステップ２０１において、ウェアラブルデバイスの運動状態パラメーターを取得する。
【００３９】
ステップ２０２において、該運動状態パラメーターに基づき、該ウェアラブルデバイスが取り外し状態にあるか否かを判断する。
【００４０】
ステップ２０３において、該ウェアラブルデバイスが取り外し状態にあった場合、端末へ警報信号を発するよう該端末に指示する取り外し情報を送信する。
【００４１】
上記をまとめると、本発明の実施例により提供されるウェアラブルデバイスの通信方法は、ウェアラブルデバイスが取得された運動状態パラメーターに基づき、該ウェアラブルデバイスが取り外し状態にあることが判断された後、端末へ警報信号を発するよう該端末に指示する該取り外し情報を送信することができるため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。
【００４２】
好ましくは、速度と加速度を含む該運動状態パラメーターに基づき、該ウェアラブルデバイスが取り外し状態にあるか否かを判断することは、
該運動状態パラメーターが取り外し状態パラメーターであるか否かを検出するステップと、
該運動状態パラメーターが該取り外し状態パラメーターである場合、該ウェアラブルデバイスが取り外し状態にあることを確定するステップと、
該運動状態パラメーターが該取り外し状態パラメーターではない場合、該ウェアラブルデバイスが取り外し状態ではないことを確定するステップと、を含み、
該取り外し状態パラメーターは、第１時間帯において、該加速度が重力加速度であり、該速度が０ではなく、第２時間帯において、該加速度と該速度がいずれも０であり、該第１時間帯と該第２時間帯が連続した任意の二つの時間帯である。
【００４３】
好ましくは、該ウェアラブルデバイスが取り外し状態にあった場合、端末へ取り外し情報を送信することは、
該ウェアラブルデバイスが取り外し状態にあった場合、現在時刻における該ウェアラブルデバイスとウェアラブル対象の皮膚と接触する位置の温度を取得するステップと、
該現在時刻における該ウェアラブルデバイスとウェアラブル対象の皮膚と接触する位置の温度が前回の時刻に該ウェアラブルデバイスとウェアラブル対象の皮膚と接触する位置の温度より低いか否かを判断するステップと、
該現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、端末へ取り外し情報を送信するステップとを含み、
該現在時刻と該前回の時刻の差がｔ秒であり、該ｔが０より大きい。
【００４４】
好ましくは、該ウェアラブルデバイスが取り外し状態にあるか否かを判断することは、
該ウェアラブルデバイスとウェアラブル対象の皮膚と接触する位置の温度が該ウェアラブルデバイスの他の位置の温度より高いか否かを検出するステップと、
該ウェアラブルデバイスとウェアラブル対象の皮膚と接触する位置の温度が該ウェアラブルデバイスの他の位置の温度より高くない場合、該ウェアラブルデバイスが取り外し状態にあるか否かを判断するステップとを含む。
【００４５】
好ましくは、該ウェアラブルデバイスの位置および該ウェアラブルデバイスの取り外し時刻のうちの少なくとも一つを含む取り外し情報を端末へ送信することは、
該ウェアラブルデバイスの位置を確定すること、
及び／又は、該ウェアラブルデバイスの速度と加速度が同時に０になる時刻を該ウェアラブルデバイスの取り外し時間とすることを含む。
【００４６】
好ましくは、該方法は警報信号を発することをさらに含む。
【００４７】
好ましくは、該警報信号は音声信号および振動信号と光信号のうちの少なくとも一つを含む。
【００４８】
上記をまとめると、本発明の実施例により提供されるウェアラブルデバイスの通信方法は、ウェアラブルデバイスが取得された運動状態パラメーターに基づき、該ウェアラブルデバイスが取り外し状態にあることが判断された後、端末へ取り外し情報を送信することができるため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。該ウェアラブルデバイスが取り外し状態にあった後、警報信号を発することもでき、ウェアラブルデバイスの遺失率を効果的に低下させる。
【００４９】
図３は、一例示的な実施例により示された別のウェアラブルデバイスの通信方法のフローチャートであり、該方法は図１により示された端末０１に応用することができ、図３に示すように、該方法は下記ステップを含む。
【００５０】
ステップ３０１において、取得されたウェアラブルデバイスの運動状態パラメーターに基づいて該ウェアラブルデバイスが取り外し状態にあることが判断された時、該ウェアラブルデバイスにより送信された取り外し情報を受信する。
【００５１】
ステップ３０２において、該取り外し情報に基づき、警報信号を発する。
【００５２】
上記をまとめると、本発明の実施例により提供されるウェアラブルデバイスの通信方法は、端末が受信されたウェアラブルデバイスにより送信された情報は健康に関する各種データと運動に関する各種データを含むだけでなく、ウェアラブルデバイスにより送信された取り外し情報をさらに含むことができ、そのためウェアラブルデバイスと端末との間の通信内容を豊かにする。端末が該取り外し情報を受信した後、警報信号を発することもでき、これによりウェアラブルデバイスが取り外したことをユーザーに注意喚起し、ウェアラブルデバイスの遺失率を効果的に低下させる。
【００５３】
好ましくは、該方法は、ウェアラブルデバイスの位置および該ウェアラブルデバイスの取り外し時刻のうちの少なくとも一つを含む該取り外し情報を表示することをさらに含む。
【００５４】
好ましくは、該方法は、該端末の位置を確定するステップと、該端末の位置を表示するステップと、をさらに含む。
【００５５】
上記をまとめると、本発明の実施例により提供されるウェアラブルデバイスの通信方法は、端末が受信されたウェアラブルデバイスにより送信された情報は健康に関する各種データと運動に関する各種データを含むだけでなく、ウェアラブルデバイスにより送信された取り外し情報をさらに含むことができ、そのためウェアラブルデバイスと端末との間の通信内容を豊かにする。端末が該取り外し情報を受信した後、警報信号を発することもでき、これによりウェアラブルデバイスが取り外されたとユーザーを注意喚起し、ウェアラブルデバイスの遺失率を効果的に低下させる。
【００５６】
図４−１は、一例示的な実施例により示された別のウェアラブルデバイスの通信方法のフローチャートであり、該方法は図１により示された実施環境に応用することができ、図４−１に示すように、該方法は下記ステップを含む。
【００５７】
ステップ４０１において、ウェアラブルデバイスはウェアラブルデバイスの運動状態パラメーターを取得する。
【００５８】
該運動状態パラメーターは速度と加速度を含む。本発明の実施例において、ウェアラブルデバイスには運動センサ、例えば、加速度計又はジャイロスコープなどが設置され、該運動センサにより該ウェアラブルデバイスの速度と加速度などの運動状態パラメーターをリアルタイムに取得することができる。例示的には、仮にウェアラブルデバイスがリストバンドであれば、該リストバンドの運動センサが現在時刻８：００に取得された該リストバンドの運動状態パラメーターは、速度が４．５メートル／秒（ｍ／ｓ）で、速度方向が鉛直下向きで、加速度が９．８メートル／秒２（ｍ／ｓ２）で、加速度方向が鉛直下向きであってもよい。鉛直下向きにより重力方向を示し、即ち、重力加速度方向を示す。
【００５９】
ステップ４０２において、ウェアラブルデバイスにより該ウェアラブルデバイスとウェアラブル対象の皮膚と接触する位置の温度が該ウェアラブルデバイスの他の位置の温度より高いか否かを検出する。
【００６０】
本発明の実施例において、ウェアラブルデバイスには少なくとも二つの温度センサが設置され、該少なくとも二つの温度センサはそれぞれウェアラブル対象の皮膚と接触する位置に設置することができ、該ウェアラブルデバイスにおけるウェアラブル対象の皮膚と接触する位置以外の他の位置に設置することもできる。例えば、該ウェアラブルデバイスがスマートリストバンドである場合、該スマートリストバンドとウェアラブル対象の皮膚と接触する位置は該スマートリストバンドの内側であってもよい。該ウェアラブルデバイスがスマートウォッチである場合、該スマートウォッチとウェアラブル対象の皮膚と接触する位置は該スマートウォッチのベルトの内側であってもよい。該ウェアラブルデバイスがスマートグラスである場合、該スマートグラスとウェアラブル対象の皮膚と接触する位置は該スマートグラスのテンプルの内側であってもよく、又は該スマートグラスの鼻パッドであってもよい。ウェアラブルデバイスは少なくとも二つの温度センサにより検出された温度をリアルタイムに取得し、該ウェアラブルデバイスとウェアラブル対象の皮膚と接触する位置の温度が該ウェアラブルデバイスの他の位置の温度より高いか否かを検出することができる。該ウェアラブルデバイスとウェアラブル対象の皮膚と接触する位置の温度が該ウェアラブルデバイスの他の位置の温度より高い場合、ウェアラブルデバイスによりユーザーが該ウェアラブルデバイスを装着したことを確定することができ、該ウェアラブルデバイスとウェアラブル対象の皮膚と接触する位置の温度が該ウェアラブルデバイスの他の位置の温度より高くない場合、ウェアラブルデバイスによりユーザーが該ウェアラブルデバイスを装着しないことを確定することができる。例示的には、仮にウェアラブルデバイスがリストバンドであれば、該リストバンドの内側（即ち、ウェアラブル対象の皮膚と接触する位置）に温度センサ１が設置され、該リストバンドの外側（即ち、ウェアラブル対象の皮膚と接触しない位置）に温度センサ２が設置され、リストバンドは、該二つのセンサにより検出された温度をリアルタイムに取得することができ、該温度センサ１により検出された温度が温度センサ２により検出された温度より高いか否かを比較する。
【００６１】
ステップ４０３において、該ウェアラブルデバイスとウェアラブル対象の皮膚と接触する位置の温度が該ウェアラブルデバイスの他の位置の温度より高くない場合、ウェアラブルデバイスは、該運動状態パラメーターに基づいて該ウェアラブルデバイスが取り外し状態にあるか否かを判断する。
【００６２】
該ウェアラブルデバイスとウェアラブル対象の皮膚と接触する位置の温度が該ウェアラブルデバイスの他の位置の温度より高くない場合、ウェアラブルデバイスは現在時刻におけるユーザーが該ウェアラブルデバイスを装着しないことを確定することができ、現在時刻の事前設定の時間帯内における運動状態パラメーターを取得することができ、該運動状態パラメーターに基づき、該ウェアラブルデバイスが取り外し状態にあるか否かを判断することができる。該事前設定の時間帯は１０秒であってもよく、１分であってもよく、それは本発明の実施例に限定されない。例示的には、仮にウェアラブルデバイスがリストバンドであれば、８：０１に該リストバンドが取得された該二つのセンサにより検出された温度は、温度センサ１が２７度で、温度センサ２が２７度であり、該リストバンドとウェアラブル対象の皮膚と接触する位置の温度が該リストバンドの他の位置の温度より高くないため、リストバンドが現在時刻８：０１の１０秒前から運動状態パラメーターを取得することができ、該１０秒内の運動状態パラメーターに基づいて該リストバンドが取り外し状態にあるか否かを判断することができる。
【００６３】
図４−２は、一例示的な実施例により示された該ウェアラブルデバイスが取り外し状態にあるか否かを判断する方法のフローチャートであり、図４−２に示すように、該方法は下記ステップを含む。
【００６４】
ステップ４０３１において、該運動状態パラメーターが取り外し状態パラメーターであるか否かを検出し、取り外し状態パラメーターは第１時間帯において、該加速度が重力加速度であり、該速度が０ではなく、第２時間帯において、該加速度と該速度がいずれも０である。
【００６５】
該第１時間帯と該第２時間帯が連続した任意の二つの時間帯である。加速度が９．８ｍ／ｓ２で、方向が鉛直下向きである場合、ウェアラブルデバイスは該加速度が重力加速度であることを確定することができる。該運動状態パラメーターが該取り外し状態パラメーターである場合、ステップ４０３２を実行し、該運動状態パラメーターが該取り外し状態パラメーターではない場合、ステップ４０３３を実行する。本発明の実施例において、ウェアラブルデバイスはウェアラブルデバイスの運動状態パラメーターをリアルタイムに取得し、連続した任意の二つの時間帯内における運動状態パラメーターが上記取り外し状態パラメーターの条件を満たすか否かを検出することができる。
【００６６】
ステップ４０３２において、該ウェアラブルデバイスが取り外し状態にあることを確定する。
【００６７】
第１時間帯内のウェアラブルデバイスの加速度が重力加速度であり、速度が０ではない場合、該ウェアラブルデバイスが取り外した状態にある可能性があり、該第１時間帯と連続した第２時間帯内の該ウェアラブルデバイスの加速度と該速度がいずれも０である場合、該ウェアラブルデバイスが取り外し停止状態にある可能性がある。該第１時間帯と該第２時間帯が連続した任意の二つの時間帯であってもよく、連続した任意の二つの時間帯内のウェアラブルデバイスの運動状態パラメーターが上記取り外し状態パラメーターを満たした場合、ウェアラブルデバイスは該ウェアラブルデバイスが取り外し状態にあることを確定することができる。例示的には、仮にウェアラブルデバイスがリストバンドであれば、８：００に該リストバンドが取得した運動状態パラメーターは、速度が４．５ｍ／ｓで、速度方向が鉛直下向きで、加速度が９．８ｍ／ｓ２で、加速度方向が鉛直下向きであり、リストバンドは加速度が９．８ｍ／ｓ２であり、鉛直下向きの加速度方向が重力加速度であることを判断することができ、リストバンドは８：００以降の１秒間内に検出された該リストバンドの加速度が全部重力加速度であり、速度が０ではなく、８時０１秒から８時０３秒まで、該リストバンドの速度と加速度がいずれも０である。この場合、該リストバンドが取り外し状態にあることを確定することができ、第１時間帯は８時００秒から８時０１秒までであり、第２時間帯は８時０１秒から８時０２秒までである。
【００６８】
説明すべきことは、実際に応用する時、該第１時間帯は該ウェアラブルデバイスを自由に取り外した時間であってもよく、該第２時間帯は該ウェアラブルデバイスを自由に取り外し、停止した後の時間であってもよい。そのため、該ウェアラブルデバイスが高い位置から取り外す場合、該第１時間帯が長くなり、該第１時間帯と第２時間帯の期間は本発明の実施例に限定されない。
【００６９】
ステップ４０３３において、該ウェアラブルデバイスが取り外し状態にないことを確定する。
【００７０】
ウェアラブルデバイスの運動状態パラメーターが該取り外し状態パラメーターではない場合、ウェアラブルデバイスはウェアラブルデバイスが取り外し状態にないことを確定することができる。ウェアラブルデバイスの運動状態パラメーターが上記ステップ４０３１により示された取り外し状態パラメーターのうちのいずれかの条件を満たさない場合、ウェアラブルデバイスはウェアラブルデバイスが取り外し状態にないことを確定することができる。
【００７１】
ステップ４０４において、該ウェアラブルデバイスが取り外し状態にあった場合、ウェアラブルデバイスにより該ウェアラブルデバイスの位置を確定する。
【００７２】
本発明の実施例において、ウェアラブルデバイスに位置決めモジュールを設置することができ、ウェアラブルデバイスが取り外し状態にあることが確定された場合、ウェアラブルデバイスが該位置決めモジュールに基づいて該ウェアラブルデバイスの現在位置を確定することができる。例示的には、該ウェアラブルデバイスにより確定された位置は該位置の経緯度、例えば、北緯３９°９６’、東経１１６°７８’であってもよく、該位置の具体的区域情報、例えば、北京朝陽区望京西路ｘｘ号であってもよい。
【００７３】
ステップ４０５において、該ウェアラブルデバイスが取り外し状態にあった場合、ウェアラブルデバイスはウェアラブルデバイスの速度と加速度が同時に０になる時刻を該ウェアラブルデバイスの取り外し時刻とする。
【００７４】
該ウェアラブルデバイスの速度と加速度が同時に０になる時刻は、即ち、該ウェアラブルデバイスの取り外し時刻であり、そのため、ウェアラブルデバイスは、該時刻をウェアラブルデバイスの取り外し時刻とすることができる。例示的には、リストバンドの速度と加速度が同時に０になる時刻は８時０１秒である場合、該リストバンドは、該時刻８時０１秒をリストバンドの取り外し時刻とすることができる。
【００７５】
ステップ４０６において、該ウェアラブルデバイスが取り外し状態にあった場合、現在時刻における該ウェアラブルデバイスとウェアラブル対象の皮膚と接触する位置の温度を取得する。
【００７６】
本発明の実施例において、ウェアラブルデバイスは運動状態パラメーターに基づいて該ウェアラブルデバイスが取り外し状態にあることが判断された時、該判断結果の正確性を保証するために、現在時刻における該ウェアラブルデバイスとウェアラブル対象の皮膚と接触する位置の温度を取得することもできる。例示的には、仮にウェアラブルデバイスがリストバンドであれば、該リストバンドの内側に温度センサ１が設置され、該リストバンドは８時０２秒に該リストバンドが取り外し状態にあることを確定し、リストバンドが取得された現在時刻８時０２秒に温度センサ１により検出された温度は３３度であってもよい。
【００７７】
ステップ４０７において、ウェアラブルデバイスは該現在時刻における該ウェアラブルデバイスとウェアラブル対象の皮膚と接触する位置の温度が前回の時刻に該ウェアラブルデバイスとウェアラブル対象の皮膚と接触する位置の温度より低いか否かを判断する。該現在時刻と該前回の時刻の差がｔ秒であり、該ｔが０より大きい。
【００７８】
例示的には、ｔが２秒で、現在時間が８時０２秒である場合、リストバンドは前回の時刻８：００に該リストバンドとウェアラブル対象の皮膚と接触する位置の温度を取得することができ、前回の時刻８：００にリストバンドが取得されたウェアラブル対象の皮膚と接触する位置の温度は３５度であってもよい。
【００７９】
ステップ４０８において、該現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、ウェアラブルデバイスは端末へ取り外し情報を送信する。
【００８０】
ウェアラブルデバイスが取り外し状態にあり、現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、ウェアラブルデバイスは該ウェアラブルデバイスとウェアラブル対象の皮膚と接触する位置の温度が下がることを確定することができ、この時、さらに端末へ警報信号を発するよう該端末に指示する取り外し情報を送信する。該取り外し情報は、該ウェアラブルデバイスの位置および該ウェアラブルデバイスの取り外し時刻のうちの少なくとも一つを含む。ウェアラブルデバイスは運動状態パラメーターに基づいて該ウェアラブルデバイスが取り外し状態にあることを判断し、該ウェアラブルデバイスとウェアラブル対象の皮膚と接触する位置の温度が下がることにより、該ウェアラブルデバイスが取り外しであることを確定し、取り外し情報の誤送信の確率を下げ、それにより該ウェアラブルデバイスにより送信された取り外し情報の正確性を向上させる。例示的には、現在時刻８時０２秒にリストバンドが取得されたウェアラブル対象の皮膚と接触する位置の温度の３３度が前回の時刻８：００に該リストバンドとウェアラブル対象の皮膚と接触する位置の温度の３５度より低いため、該取り外し情報は、位置が北緯３９°９６’で、東経１１６°７８’で、取り外し時刻が８：００：０１であってもよい。
【００８１】
ステップ４０９において、ウェアラブルデバイスにより警報信号を発する。
【００８２】
ウェアラブルデバイスが取り外し状態にあることを確定した後、音声信号、振動信号と光信号のうちの少なくとも一つを含む警報信号を発することができる。ウェアラブルデバイスにより発した警報信号は該ウェアラブルデバイスが取り外しであることをユーザーに注意喚起することができ、ウェアラブルデバイスの遺失率を効果的に低下させる。
【００８３】
ステップ４１０において、端末は該取り外し情報に基づき、警報信号を発する。
【００８４】
端末が取り外し情報を受信した後、音声信号および振動信号と光信号のうちの少なくとも一つを含む警報信号を発することもでき、該警報信号はウェアラブルデバイスが取り外ししたようユーザーを注意喚起することができ、それによりウェアラブルデバイスの遺失率を効果的に低下させる。
【００８５】
ステップ４１１において、端末により該取り外し情報を表示する。
【００８６】
端末によりウェアラブルデバイスが送信した取り外し情報を表示する時、該ウェアラブルデバイスの標識を対応して表示することもできる。該取り外し情報は、該ウェアラブルデバイスの位置および該ウェアラブルデバイスの取り外し時刻のうちの少なくとも一つを含む。端末が該取り外し情報を表示することにより、ユーザーに取り外したウェアラブルデバイスを探すことができ、ウェアラブルデバイスの遺失率を効果的に低下させる。図４−３は一例示的な実施例により示された端末に取り外し情報を表示する示す図であり、仮に端末が受信されたリストバンドにより送信した取り外し情報は、位置が北緯３９°９６’で、東経１１６°７８’で、取り外し時間が８時０１秒であり、該リストバンドの標識が、ＸＩＡＯＭＩリストバンド１であれば、端末は図４−３により示されたインターフェースにおいて、ＸＩＡＯＭＩリストバンド取り外し、取り外し位置が北緯３９°９６’で、東経１１６°７８’であり、取り外し時刻が８：００：０１であることを表示することができる。
【００８７】
ステップ４１２において、端末が該端末の位置を確定する。
【００８８】
本発明の実施例において、端末が取り外し情報を受信した後、端末における位置決めモジュールに基づき、現在時刻における該端末が所在する位置を確定することができ、例示的には、現在時刻における該端末により確定された位置は、北緯３９°９７’で、東経１１６°７８’であってもよい。
【００８９】
ステップ４１３において、端末が該端末の位置を表示する。
【００９０】
図４−４は一例示的な実施例により示された端末が該端末の位置を表示する示す図であり、図４−４に示すように、該端末がＸＩＡＯＭＩ携帯電話である場合、端末により受信されたウェアラブルデバイスが送信した取り外し情報に遅延が発生した場合、端末が現在位置に基づいてウェアラブルデバイスの取り外し位置との距離を確定することができ、ユーザーが取り外したウェアラブルデバイスを探しやすいように、端末に表示される内容は、ＸＩＡＯＭＩ携帯電話の現在位置が北緯３９°９７’で、東経１１６°７８’であってもよい。
【００９１】
説明すべきことは、本発明の実施例により提供されるウェアラブルデバイスの通信方法のステップの前後順序を適宜調整することができ、状況に基づいてステップを対応して増加し又は減少することもでき、例示的には、状況に基づいてステップ４０２、ステップ４０６とステップ４０７を削除し、ステップ４０９とステップ４１０を同時に実行することができる。本領域を知っている如何なる当業者が本発明により開示された技術範囲内において、容易に想到する変更方法は、本発明の保護範囲内に属すべきであり、そのため説明を省略する。
【００９２】
上記をまとめると、本発明の実施例により提供されるウェアラブルデバイスの通信方法は、ウェアラブルデバイスは取得された運動状態パラメーターに基づき、該ウェアラブルデバイスが取り外し状態にあったことが判断された後、端末へ警報信号を発するよう前記端末に指示する取り外し情報を送信することができるため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。該ウェアラブルデバイスが取り外し状態にあった場合、警報信号を発することもでき、ウェアラブルデバイスの遺失率を効果的に低下させる。
【００９３】
図５−１は、一例示的な実施例により示されたウェアラブルデバイスの通信装置のブロック図であり、図５−１に示すように、該装置は、
ウェアラブルデバイスの運動状態パラメーターを取得するように構成された取得モジュール５０１と、
該運動状態パラメーターに基づき、該ウェアラブルデバイスが取り外し状態にあるか否かを判断するように構成された判断モジュール５０２と、
該ウェアラブルデバイスが取り外し状態にあった場合、端末へ警報信号を発するよう該端末に指示する取り外し情報を送信するように構成された送信モジュール５０３と、を含む。
【００９４】
上記をまとめると、本発明の実施例により提供されるウェアラブルデバイスの通信装置は、ウェアラブルデバイスは取得された運動状態パラメーターに基づき、該ウェアラブルデバイスが取り外し状態にあったことが判断された後、端末へ取り外し情報を送信することができるため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。該ウェアラブルデバイスが取り外し状態にあった後、警報信号を発することもでき、ウェアラブルデバイスの遺失率を効果的に低下させる。
【００９５】
図５−２は、一例示的な実施例により示された別のウェアラブルデバイスの通信装置のブロック図であり、図５−２に示すように、該装置は、
ウェアラブルデバイスの運動状態パラメーターを取得するように構成された取得モジュール５０１と、
該運動状態パラメーターに基づき、該ウェアラブルデバイスが取り外し状態パラメーターにあるか否かを判断するように構成された判断モジュール５０２と、
該ウェアラブルデバイスが取り外し状態にあった場合、端末へ警報信号を発するよう該端末に指示する取り外し情報を送信するように構成された送信モジュール５０３と、
警報信号を発するように構成された警報モジュール５０４と、を含む。
【００９６】
好ましくは、該判断モジュール５０２は、
速度と加速度を含む該運動状態パラメーターが取り外し状態パラメーターであるか否かを検出し、
該運動状態パラメーターが該取り外し状態パラメーターである場合、該ウェアラブルデバイスが取り外し状態にあることを確定し、
該運動状態パラメーターが該取り外し状態パラメーターではない場合、該ウェアラブルデバイスが取り外し状態にあっていないことを確定するように構成され、
該取り外し状態パラメーターは、第１時間帯において、該加速度が重力加速度であり、該速度が０ではなく、第２時間帯において、該加速度と該速度がいずれも０であり、該第１時間帯と該第２時間帯が連続した二つの任意の時間帯である。
【００９７】
好ましくは、該送信モジュール５０３は、
該ウェアラブルデバイスが取り外し状態にあった場合、現在時刻における該ウェアラブルデバイスとウェアラブル対象の皮膚と接触する位置の温度を取得し、
現在時刻における該ウェアラブルデバイスとウェアラブル対象の皮膚と接触する位置の温度が前回の時刻に該ウェアラブルデバイスとウェアラブル対象の皮膚と接触する位置の温度より低いか否かを判断し、
該現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、端末へ取り外し情報を送信するように構成され、
該現在時刻と該前回の時刻の差がｔ秒であり、該ｔが０より大きい。
【００９８】
好ましくは、該判断モジュール５０２は、
該ウェアラブルデバイスとウェアラブル対象の皮膚と接触する位置の温度が該ウェアラブルデバイスの他の位置の温度より高いか否かを検出し、
該ウェアラブルデバイスとウェアラブル対象の皮膚と接触する位置の温度が該ウェアラブルデバイスの他の位置の温度より高くない場合、該ウェアラブルデバイスが取り外し状態にあるか否かを判断するように構成されている。
【００９９】
好ましくは、該取り外し情報は、該ウェアラブルデバイスの位置および該ウェアラブルデバイスの取り外し時刻のうちの少なくとも一つを含み、該送信モジュール５０３は、
該ウェアラブルデバイスの位置を確定し、及び／又は、該ウェアラブルデバイスの速度と加速度が同時に０になる時刻を該ウェアラブルデバイスの取り外し時刻とするように構成されている。
【０１００】
好ましくは、該警報信号は音声信号および振動信号と光信号のうちの少なくとも一つを含む。
【０１０１】
上記をまとめると、本発明の実施例により提供されるウェアラブルデバイスの通信装置は、ウェアラブルデバイスは取得された運動状態パラメーターに基づき、該ウェアラブルデバイスが取り外し状態にあることが判断された後、端末へ取り外し情報を送信することができるため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。該ウェアラブルデバイスが取り外し状態にあった後、警報信号を発することもでき、ウェアラブルデバイスの遺失率を効果的に低下させる。
【０１０２】
図６−１は、一例示的な実施例により示された他のウェアラブルデバイスの通信装置のブロック図であり、図６−１に示すように、該装置は、
取得された該ウェアラブルデバイスの運動状態パラメーターに基づいて該ウェアラブルデバイスが取り外し状態にあることが判断された時、該ウェアラブルデバイスにより送信された取り外し情報を受信するように構成された受信モジュール６０１と、
該取り外し情報に基づき、警報信号を発するように構成された警報モジュール６０２と、を含む。
【０１０３】
上記をまとめると、本発明の実施例により提供されるウェアラブルデバイスの通信装置は、端末により受信されたウェアラブルデバイスが送信した情報は、健康に関する各種データと運動に関する各種データを含むだけでなく、ウェアラブルデバイスにより送信された取り外し情報をさらに含むことができ、そのため、ウェアラブルデバイスと端末との間の通信内容を豊かにする。端末が該取り外し情報を受信した後、さらに警報信号を発することができ、これによりウェアラブルデバイスが取り外したことをユーザーに注意喚起し、ウェアラブルデバイスの遺失率を効果的に低下させる。
【０１０４】
図６−２は、一例示的な実施例により示されたもう一つのウェアラブルデバイスの通信装置のブロック図であり、図６−２に示すように、該装置は、
取得されたウェアラブルデバイスの運動状態パラメーターに基づいて該ウェアラブルデバイスが取り外し状態にあることが判断された時、該ウェアラブルデバイスにより送信された取り外し情報を受信するように構成された受信モジュール６０１と、
該取り外し情報に基づき、警報信号を発するように構成された警報モジュール６０２と、
該取り外し情報を表示するように構成された第１表示モジュール６０３と、
該端末の位置を確定するように構成された確定モジュール６０４と、
該端末の位置を表示するように構成された第２表示モジュール６０５と、を含み、
該取り外し情報は、該ウェアラブルデバイスの位置と該ウェアラブルデバイスの取り外し時刻のうちの少なくとも一つを含む。
【０１０５】
上記をまとめると、本発明の実施例により提供されるウェアラブルデバイスの通信装置は、端末により受信されたウェアラブルデバイスが送信した情報は、健康に関する各種データと運動に関する各種データを含むだけでなく、ウェアラブルデバイスにより送信された取り外し情報をさらに含むことができ、そのため、ウェアラブルデバイスと端末との間の通信内容を豊かにする。端末が該取り外し情報を受信した後、さらに警報信号を発することができ、これによりウェアラブルデバイスが取り外したことをユーザーに注意喚起し、ウェアラブルデバイスの遺失率を効果的に低下させる。
【０１０６】
上記実施例における装置について、そのうちの各モジュールが操作を実行する具体的な態様は既に該方法に関する実施例において説明されているため、ここでその説明を省略する。
【０１０７】
図７は一例示的な実施例により示されたウェアラブルデバイスの通信装置７００のブロック図である。例えば、装置７００は携帯電話、コンピュータ、デジタル放送端末、情報受送装置、ゲームコンソール、フラットパネル装置、医療機器、フィットネス装置、電子手帳、スマートリストバンド及びスマートウォッチなどであってもよい。
【０１０８】
図７に示すように、装置７００は、処理部７０２、メモリ７０４、電源部７０６、マルチメディア部７０８、音声部７１０、入力／出力（Ｉ／Ｏ）のインターフェース７１２、センサ部７１４及び通信部７１６のうちの一つ又は複数の部品を含むことができる。
【０１０９】
処理部７０２は一般的に装置７００の操作全体を制御し、例えば、表示、電話の呼び出し、データ通信、カメラ操作及び記録操作と関連した操作を制御することができる。処理部７０２は、上記方法の全部ステップ又は部分ステップを完了するために、コマンドを実行する一つ又は複数のプロセッサ７２０を含むことができる。なお、処理部７０２は、その他の部品との相互作用が便利であるように、一つ又は複数のモジュールを含むことができる。例えば、処理部７０２は、マルチメディア部７０８と処理部７０２との相互作用が便利であるように、マルチメディアモジュールを含むことができる。
【０１１０】
メモリ７０４は、装置７００における操作をサポートするように、様々な種類のデータを記憶するように構成される。これらのデータの実例は、装置７００において操作される如何なるアプリケーション又は方法のコマンド、連絡先データ、電話帳データ、情報、画像、ビデオなどを含む。メモリ７０４は、如何なる類型の揮発性又は不揮発性記憶装置又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１１１】
電源部７０６は、装置７００の様々な部品のために電力を提供する。電源部７０６は、電源管理システム、一つ又は複数の電源、及びその他の装置７００に対する電力の生成、管理及び供給に関連する部品を含むことができる。
【０１１２】
マルチメディア部７０８は前記装置７００とユーザーとの間の出力インターフェースを提供するスクリーンを含む。一部の実施例において、スクリーンは液晶ディスプレイ（ＬＣＤ）とタッチパネル（ＴＰ）を含むことができる。スクリーンはタッチパネルを含まれる場合、ユーザーからの入力信号を受信するために、スクリーンはタッチパネルとして実現されることができる。タッチパネルは、タッチ、スライドとタッチパネルにおけるジェスチャーを検知するために、一つ又は複数のタッチセンサを含む。前記タッチセンサは、タッチ又はスライド動作の境界を感知するとともに、前記タッチ又はスライド動作に関わる持続時間と圧力を検出することができる。一部の実施例において、マルチメディア部７０８は、フロントカメラ及び／又はリアカメラを含む。装置７００が操作モードである場合、例えば、撮影モード又はビデオモードである場合、フロントカメラ及び／又はリアカメラは外部のマルチメディアデータを受信することができる。それぞれのフロントカメラ及びリアカメラは、固定された光学レンズシステムであってもよく、又は焦点距離と光学ズームの能力を有する。
【０１１３】
音声部７１０は音声信号を出力及び／又は入力するように構成される。例えば、音声部７１０は、マイクロフォン（ＭＩＣ）を含み、装置７００が操作モードである場合、例えば、呼び出しモード、記録モードと音声識別モードである場合、マイクロフォンは外部の音声信号を受信するように構成される。受信された音声信号は、さらにメモリ７０４に記憶され、又は通信部７１６を介して送信される。一部の実施例において、音声部７１０は、さらに音声信号を出力するスピーカを含む。
【０１１４】
Ｉ／Ｏインターフェース７１２により処理部７０２と周辺機器インターフェースモジュールとの間にインターフェースを提供し、上記周辺機器インターフェースモジュールは、キーボード、クリックホイール、ボタンなどであってもよい。これらのボタンは、ホームボタン、ボリュームボタン、スタートボタン及びロックボタンを含むことができるがそれに限定されない。
【０１１５】
センサ部７１４は、装置７００のために各方面からの状態評価を提供する一つ又は複数のセンサを含む。例えば、センサ部７１４は、装置７００のオン／オフ状態、部品の相対的位置決め、例えば、前記部品が装置７００であるディスプレイ及びキーパッドを検出することができ、センサ部７１４は、さらに装置７００又は装置７００の一つの部品の位置変化、ユーザーと装置７００との接触の有無、装置７００の方角又は加速／減速及び装置７００の温度変化を検出することができる。センサ部７１４は、近接センサを含むことができ、如何なる物理的接触がない時、近傍物体の存在を検出するように構成される。センサ部７１４は、さらにイメージングアプリケーションに用いられる光学センサ、例えば、ＣＭＯＳ又はＣＣＤイメージセンサを含むことができる。一部の実施例において、該センサ部７１４は、さらに加速度センサ、ジャイロセンサ、磁気センサ、圧力センサ又は温度センサを含むことができる。
【０１１６】
通信部７１６は、装置７００とその他の装置との有線又は無線方式による通信が便利であるように構成される。装置７００は、通信標準に基づく無線ネットワーク、例えば、Ｗｉ−Ｆｉ、２Ｇ又は３Ｇ、又はそれらの組み合わせにアクセスすることができる。一例示的な実施例において、通信部７１６は、放送チャネルを介して外部放送管理システムからの放送信号又は放送関連情報を受信する。一例示的な実施例において、前記通信部７１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１１７】
一例示的な実施例において、装置７００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記ユーザーの推薦方法を実行するのに用いられる。
【０１１８】
一例示的な実施例において、さらに、コマンドを含む非一時的コンピュータ可読記憶媒体、例えば、コマンドを含むメモリ７０４を提供し、上記方法を完成するために、上記コマンドは装置７００のプロセッサ７２０により実行することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１１９】
非一時的なコンピュータ可読記憶媒体は、前記記憶媒体におけるコマンドが装置７００のプロセッサにより実行される時、装置７００をウェアラブルデバイスの通信方法を実行可能にし、前記方法は、
ウェアラブルデバイスの運動状態パラメーターを取得するステップと、
該運動状態パラメーターに基づき、該ウェアラブルデバイスが取り外し状態にあるか否かを判断するステップと、
該ウェアラブルデバイスが取り外し状態にあった場合、端末へ警報信号を発するよう該端末に指示する取り外し情報を送信するステップと、を含む。
【０１２０】
好ましくは、速度と加速度を含む該運動状態パラメーターに基づき、該ウェアラブルデバイスが取り外し状態にあるか否かを判断することは、
該運動状態パラメーターが取り外し状態パラメーターであるか否かを検出するステップと、
該運動状態パラメーターが該取り外し状態パラメーターである場合、該ウェアラブルデバイスが取り外し状態にあることを確定するステップと、
該運動状態パラメーターが該取り外し状態パラメーターではない場合、該ウェアラブルデバイスが取り外し状態にないことを確定するステップと、を含む。
【０１２１】
第１時間帯において、該加速度が重力加速度であり、該速度が０ではなく、第２時間帯において、該加速度と該速度がいずれも０であり、該第１時間帯と該第２時間帯が連続した二つの任意の時間帯である。
【０１２２】
好ましくは、該ウェアラブルデバイスが取り外し状態にあった場合、端末へ取り外し情報を送信することは、
該ウェアラブルデバイスが取り外し状態にあった場合、現在時刻における該ウェアラブルデバイスとウェアラブル対象の皮膚と接触する位置の温度を取得するステップと、
現在時刻における該ウェアラブルデバイスとウェアラブル対象の皮膚と接触する位置の温度が前回の時刻に該ウェアラブルデバイスとウェアラブル対象の皮膚と接触する位置の温度より低いか否かを判断するステップと、
該現在時刻における該ウェアラブルデバイスとウェアラブル対象の皮膚と接触する位置の温度が前回の時刻に該ウェアラブルデバイスとウェアラブル対象の皮膚と接触する位置の温度より低い場合、端末へ取り外し情報を送信するステップとを含み、
該現在時刻と該前回の時刻の差がｔ秒であり、該ｔが０より大きい。
【０１２３】
好ましくは、該ウェアラブルデバイスが取り外し状態にあるか否かを判断することは、
該ウェアラブルデバイスとウェアラブル対象の皮膚と接触する位置の温度が該ウェアラブルデバイスの他の位置の温度より高いか否かを検出するステップと、
該ウェアラブルデバイスとウェアラブル対象の皮膚と接触する位置の温度が該ウェアラブルデバイスの他の位置の温度より高くない場合、該ウェアラブルデバイスが取り外し状態にあるか否かを判断するステップとを含む。
【０１２４】
好ましくは、該ウェアラブルデバイスの位置および該ウェアラブルデバイスの取り外し時刻のうちの少なくとも一つを含む取り外し情報を端末へ送信することは、
該ウェアラブルデバイスの位置を確定すること、
及び／又は、該ウェアラブルデバイスの速度と加速度が同時に０になる時刻を該ウェアラブルデバイスの取り外し時刻とすることを含む。
【０１２５】
好ましくは、該方法は警報信号を発することをさらに含む。
【０１２６】
好ましくは、該警報信号は音声信号、振動信号と光信号のうちの少なくとも一つを含む。
【０１２７】
上記をまとめると、本発明の実施例により提供されるウェアラブルデバイスの通信装置は、ウェアラブルデバイスは取得された運動状態パラメーターに基づき、該ウェアラブルデバイスが取り外し状態にあることが判断された後、端末へ取り外し情報を送信することができるため、ウェアラブルデバイスと端末との間の通信内容は健康に関する各種データと運動に関する各種データを含むだけでなく、さらに取り外し情報を含むことができ、ウェアラブルデバイスと端末との間の通信内容を豊かにする。該ウェアラブルデバイスが取り外し状態にあった後、警報信号を発することもでき、ウェアラブルデバイスの遺失率を効果的に低下させる。
【０１２８】
図８は一例示的な実施例により示されたウェアラブルデバイスの通信装置８００のブロック図である。例えば、装置８００は携帯電話、コンピュータ、デジタル放送端末、情報受送装置、ゲームコンソール、フラットパネル装置、医療機器、フィットネス装置、電子手帳、スマートリストバンドなどであってもよい。
【０１２９】
図８に示すように、装置８００は、処理部８０２、メモリ８０４、電源部８０６、マルチメディア部８０８、音声部８１０、入力／出力（Ｉ／Ｏ）のインターフェース８１２、センサ部８１４、及び通信部８１６のうちの一つ又は複数の部品を含むことができる。
【０１３０】
処理部８０２は一般的に装置８００の操作全体を制御し、例えば、表示、電話の呼び出し、データ通信、カメラ操作及び記録操作と関連した操作を制御することができる。処理部８０２は、上記方法の全部ステップ又は部分ステップを完了するために、コマンドを実行する一つ又は複数のプロセッサ８２０を含むことができる。なお、処理部８０２は、その他の部品との相互作用が便利であるように、一つ又は複数のモジュールを含むことができる。例えば、処理部８０２は、マルチメディア部８０８と処理部８０２との相互作用が便利であるように、マルチメディアモジュールを含むことができる。
【０１３１】
メモリ８０４は、装置８００における操作をサポートするように、様々な種類のデータを記憶するように構成される。これらのデータの実例は、装置８００において操作される如何なるアプリケーション又は方法のコマンド、連絡先データ、電話帳データ、情報、画像、ビデオなどを含む。メモリ８０４は、如何なる類型の揮発性又は不揮発性記憶装置又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１３２】
電源部８０６は、装置８００の様々な部品のために電力を提供する。電源部８０６は、電源管理システム、一つ又は複数の電源、及びその他の装置８００に対する電力の生成、管理及び供給に関連する部品を含むことができる。
【０１３３】
マルチメディア部８０８は前記装置８００とユーザーとの間の出力インターフェースを提供するスクリーンを含む。一部の実施例において、スクリーンは液晶ディスプレイ（ＬＣＤ）とタッチパネル（ＴＰ）を含むことができる。スクリーンはタッチパネルを含まれる場合、ユーザーからの入力信号を受信するために、スクリーンはタッチパネルとして実現されることができる。タッチパネルは、タッチ、スライドとタッチパネルにおけるジェスチャーを検知するために、一つ又は複数のタッチセンサを含む。前記タッチセンサは、タッチ又はスライド動作の境界を感知するとともに、前記タッチ又はスライド動作に関わる持続時間と圧力を検出することができる。一部の実施例において、マルチメディア部８０８は、フロントカメラ及び／又はリアカメラを含む。装置８００が操作モードである場合、例えば、撮影モード又はビデオモードである場合、フロントカメラ及び／又はリアカメラは外部のマルチメディアデータを受信することができる。それぞれのフロントカメラ及びリアカメラは、固定された光学レンズシステムであってもよく、又は焦点距離と光学ズームの能力を有する。
【０１３４】
音声部８１０は音声信号を出力及び／又は入力するように構成される。例えば、音声部８１０は、マイクロフォン（ＭＩＣ）を含み、装置８００が操作モードである場合、例えば、呼び出しモード、記録モードと音声識別モードである場合、マイクロフォンは外部の音声信号を受信するように構成される。受信された音声信号は、さらにメモリ８０４に記憶され、又は通信部８１６を介して送信される。一部の実施例において、音声部８１０は、さらに音声信号を出力するスピーカを含む。
【０１３５】
Ｉ／Ｏインターフェース８１２により処理部８０２と周辺機器インターフェースモジュールとの間にインターフェースを提供し、上記周辺機器インターフェースモジュールは、キーボード、クリックホイール、ボタンなどであってもよい。これらのボタンは、ホームボタン、ボリュームボタン、スタートボタン及びロックボタンを含むことができるがそれに限定されない。
【０１３６】
センサ部８１４は、装置８００のために各方面からの状態評価を提供する一つ又は複数のセンサを含む。例えば、センサ部８１４は、装置８００のオン／オフ状態、部品の相対的位置決め、例えば、前記部品が装置８００であるディスプレイ及びキーパッドを検出することができ、センサ部８１４は、さらに装置８００又は装置８００の一つの部品の位置変化、ユーザーと装置８００との接触の有無、装置８００の方角又は加速／減速及び装置８００の温度変化を検出することができる。センサ部８１４は、近接センサを含むことができ、如何なる物理的接触がない時、近傍物体の存在を検出するように構成される。センサ部８１４は、さらにイメージングアプリケーションに用いられる光学センサ、例えば、ＣＭＯＳ又はＣＣＤイメージセンサを含むことができる。一部の実施例において、該センサ部８１４は、さらに加速度センサ、ジャイロセンサ、磁気センサ、圧力センサ又は温度センサを含むことができる。
【０１３７】
通信部８１６は、装置８００とその他の装置との有線又は無線方式による通信が便利であるように構成される。装置８００は、通信標準に基づく無線ネットワーク、例えば、Ｗｉ−Ｆｉ、２Ｇ又は３Ｇ、又はそれらの組み合わせにアクセスすることができる。一例示的な実施例において、通信部８１６は、放送チャネルを介して外部放送管理システムからの放送信号又は放送関連情報を受信する。一例示的な実施例において、前記通信部８１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１３８】
一例示的な実施例において、装置８００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記ユーザーの推薦方法を実行するのに用いられる。
【０１３９】
一例示的な実施例において、さらに、コマンドを含む非一時的コンピュータ可読記憶媒体、例えば、コマンドを含むメモリ８０４を提供し、上記方法を完成するために、上記コマンドは装置８００のプロセッサ８２０により実行することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１４０】
非一時的なコンピュータ可読記憶媒体は、前記記憶媒体におけるコマンドが装置８００のプロセッサにより実行される時、装置８００がウェアラブルデバイスの通信方法を実行可能にし、前記方法は、
取得されたウェアラブルデバイスの運動状態パラメーターに基づいて該ウェアラブルデバイスが取り外し状態にあることが判断された時、該ウェアラブルデバイスにより送信された取り外し情報を受信するステップと、
該取り外し情報に基づき、警報信号を発するステップと、を含む。
【０１４１】
好ましくは、該ウェアラブルデバイスの位置および該ウェアラブルデバイスの取り外し時刻のうちの少なくとも一つを含む該取り外し情報を表示することをさらに含む。
【０１４２】
好ましくは、該方法は、該端末の位置を確定するステップと、該端末の位置を表示するステップとをさらに含む。
【０１４３】
上記をまとめると、本発明の実施例により提供されるウェアラブルデバイスの通信装置は、端末により受信されたウェアラブルデバイスが送信した情報は、健康に関する各種データと運動に関する各種データを含むだけでなく、ウェアラブルデバイスが送信した取り外し情報をさらに含むことができ、そのため、ウェアラブルデバイスと端末との間の通信内容を豊かにする。端末が該取り外し情報を受信した後、警報信号を発することもでき、これによりウェアラブルデバイスが取り外したようユーザーを注意喚起し、ウェアラブルデバイスの遺失率を効果的に低下させる。
【０１４４】
本発明の専門用語「及び／又は」は、関連対象を記述する関連関係のみであり、三種類の関係が存在する可能であることを示し、例えば、Ａ及び／又はＢは、Ａのみが存在し、ＡとＢが同時に存在し、Ｂのみが存在するという三種類の状況を示すことができる。また、文中の用語「／」は、一般に、前後関連の対象が「又は」という関係であることを示す。
【０１４５】
当業者であれば、明細書を考慮しここに開示された発明を実践した後、本発明のその他の実施態様を容易に想到できる。本発明は、本発明の如何なる変形、用途又は適応的変化を含むためのものであり、これらの変形、用途又は適応的変化は本発明の一般的な原理に準じ、本発明の開示されていない当該技術分野における一般的知識又は慣用の技術手段を含む。明細書と実施例は例示的なものに過ぎず、本発明の実際の範囲と精神は特許請求の範囲により与えられる。
【０１４６】
ここで理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
0006342589.tif 000002
【図２】
0006342589.tif 000003
【図３】
0006342589.tif 000004
【図４−１】
0006342589.tif 000005
【図４−２】
0006342589.tif 000006
【図４−３】
0006342589.tif 000007
【図４−４】
0006342589.tif 000008
【図５−１】
0006342589.tif 000009
【図５−２】
0006342589.tif 000010
【図６−１】
0006342589.tif 000011
【図６−２】
0006342589.tif 000012
【図７】
0006342589.tif 000013
【図８】
0006342589.tif 000014